(57)【特許請求の範囲】
【請求項１】
筐体に光学系を収容し、この光学系の対物レンズから入射した光を接眼レンズから出射させることで対象物を所望の大きさに拡大する保護カバー付き望遠鏡において、
前記筐体に、前記光学系の光軸に直交する方向にスライド可能な保護カバーが備えられ、この保護カバーを対物レンズおよび接眼レンズを覆うカバー位置に保持するロック手段が備えられ、このロック手段のロックを解除した際に保護カバーを対物レンズおよび接眼レンズから退避させるとともに、この保護カバーを対物レンズおよび接眼レンズから退避した退避位置に保持する弾性手段が備えられ、
前記ロック手段は、前記筐体に案内溝が備えられ、この案内溝に沿って移動するとともに案内溝の係止凹部に係止可能なストップセットばねが保護カバーに備えられ、保護カバーを筺体側に押し込むことでストップセットばねを案内溝の係止凹部に係止して保護カバーをカバー位置に保持し、このカバー位置の保護カバーを再度筐体側に押し込むことでストップセットばねと係止部との係止を開放させるようにしたことを特徴とする保護カバー付き望遠鏡。
【請求項２】
前記保護カバーは、前記筐体の周壁を覆う断面コ字形のカバー本体が備えられ、このカバー本体の前部に対物レンズを覆う前シャッターが備えられるとともに、カバー本体の後部に接眼レンズを覆う後シャッターが備えられたことを特徴とする請求項１記載の保護カバー付き望遠鏡。
【発明の詳細な説明】
【０００１】
【発明の属する技術分野】
本発明は保護カバー付き望遠鏡に係り、さらに詳しくは、光学系の対物レンズから入射した光を接眼レンズから出射させることで対象物を所望の大きさに拡大する望遠鏡であって、対物レンズ及び接眼レンズの双方を保護することができる保護カバーを備えた保護カバー付き望遠鏡に関する。
【０００２】
【従来の技術】
従来より、単眼鏡や双眼鏡のような望遠鏡は、光学系の対物レンズと接眼レンズとの２つのレンズを保護するために、筐体の前部に前キャップを着脱自在に取り付けることで対物レンズを保護し、筐体の後部に後キャップを着脱自在に取り付けることで接眼レンズを保護するように構成している。
【０００３】
このため、単眼鏡や双眼鏡を使用する際には、筐体の前後からそれぞれ２つのキャップを取り外す必要があり、単眼鏡や双眼鏡を携帯する際には、筐体の前後からそれぞれ２つのキャップを取り付ける必要があった。
このため、単眼鏡や双眼鏡を使用するために煩雑な操作が要求され、加えて、取り外した２つのキャップを無くさないようにするために十分な注意が要求されていた。
【０００４】
ところで、コンパクトカメラなどには、筐体の前部に保護カバーをスライド自在に備え、この保護カバーをスライドさせることで、対物レンズを保護したり、対物レンズから退避させる構成のものが知られている。
このスライド可能な保護カバーによれば、使用の際にも、保護カバーを筐体に取り付けたままの状態にしておけるので、保護カバーを紛失することはない。
【０００５】
【発明が解決しようとする課題】
しかしながら、単眼鏡や双眼鏡にあっては、コンパクトカメラと異なり、光学系の前後に備えられる対物レンズと接眼レンズとの２つのレンズを同時にカバーする必要がある。
さらに、単眼鏡や双眼鏡は、コンパクトカメラと異なり、筐体が光学系を覆うだけの簡素な構成であるため、筐体に保護カバーを収納する部位を確保することは難しく、筐体にスライド可能な保護カバーを備えた場合には、使用状況においては保護カバーが邪魔になって使用性を阻害することが考えられる。
【０００６】
このため、単眼鏡や双眼鏡に、コンパクトカメラで用いられているような保護カバーをそのまま転用実施することはできなかった。
しかしながら、単眼鏡や双眼鏡にあってもコンパクトカメラと同様に、対物レンズと接眼レンズとを簡単な操作で保護し、加えて、取り外したキャップの紛失を防ぐことができる、使い勝手のよい単眼鏡や双眼鏡の実用化の要望が依然として強い。
【０００７】
この発明は、対物レンズと接眼レンズとの２つのレンズを、保護カバーへの押し込み操作の繰り返しという簡単な同一操作だけで保護することができ、さらにキャップの紛失を確実に防止することができる、使い勝手のよい保護カバー付き望遠鏡を提供して、上述の全ての問題点を解消しようとするものである。
【０００８】
【課題を解決するための手段】
本発明の上記目的を達成するために請求項１は、筐体に光学系を収容し、この光学系の対物レンズから入射した光を接眼レンズから出射させることで対象物を所望の大きさに拡大する保護カバー付き望遠鏡において、前記筐体に、前記光学系の光軸に直交する方向にスライド可能な保護カバーが備えられ、この保護カバーを対物レンズおよび接眼レンズを覆うカバー位置に保持するロック手段が備えられ、このロック手段のロックを解除した際に保護カバーを対物レンズおよび接眼レンズから退避させるとともに、この保護カバーを対物レンズおよび接眼レンズから退避した退避位置に保持する弾性手段が備えられ、前記ロック手段は、前記筐体に案内溝が備えられ、この案内溝に沿って移動するとともに案内溝の係止凹部に係止可能なストップセットばねが保護カバーに備えられ、保護カバーを筺体側に押し込むことでストップセットばねを案内溝の係止凹部に係止して保護カバーをカバー位置に保持し、このカバー位置の保護カバーを再度筐体側に押し込むことでストップセットばねと係止部との係止を開放させるようにしたことを特徴とする。
【０００９】
上記した本発明に係る保護カバー付き望遠鏡は、そこに備えられた保護カバーは、対物レンズおよび接眼レンズを覆う状態のカバー位置と、保護カバーを対物レンズおよび接眼レンズから退避させた状態の退避位置とに、いつでもスライドさせることができる。
特に、保護カバーを筐体側に押し込む操作を繰り返すという、単純で簡単な操作を繰り返すだけで、保護カバーを、カバー位置（レンズ保護状態）と退避位置（レンズ開放状態）とに切り換えることができる。
【００１０】
具体的には、保護カバーを筐体側に押し込むことで、ストップセットばねを案内溝の係止凹部に係止して保護カバーをカバー位置に保持することができ、カバー位置の保護カバーを再度筐体側に押し込むことでストップセットばねと係止凹部との係止を開放することができる。このため、保護カバーをカバー位置と退避位置との何れの状態へも、保護カバーの押し込み操作を繰り返すだけで、切り替えが簡単に行えることとなる。
加えて、対物レンズおよび接眼レンズを開放状態にする場合には、保護カバーが筐体から離れないため、保護カバーを紛失することもない。
【００１１】
請求項２は、前記保護カバーは、前記筐体の周壁を覆う断面コ字形のカバー本体が備えられ、このカバー本体の前部に対物レンズを覆う前シャッターが備えられるとともに、カバー本体の後部に接眼レンズを覆う後シャッターが備えられたことを特徴とする。
【００１２】
カバー本体で筐体の周壁を覆うように構成し、このカバー本体に前後のシャッターを備えたので、簡素な構成でありながら前後のシャッターを一体に形成することが可能となった。
【００１３】
【発明の実施の形態】
以下添付図に基づいて本発明に係る保護カバー付き望遠鏡の一実施の形態を詳説する。なお、図中の「前」、「後」、「左」、「右」は、望遠鏡を使用する際の使用者から見た方向を示す。
図１は本発明に係る第１実施の形態の不使用状態を示す斜視図、図２は本発明に係る第１実施の形態の使用状態を示す斜視図、図３は本発明に係る第１実施の形態の不使用状態を示す断面図、図４は本発明に係る第１実施の形態の使用状態を示す断面図、図５は本発明に係る第１実施の形態のロック手段を示す断面図、図６は本発明に係る第１実施の形態のロック手段の作用を説明する図である。
【００１４】
保護カバー付き望遠鏡１０は、図１〜図４に示すように筐体１１に光学系２０を収容し、この光学系２０の対物レンズ２１から入射した光を光軸２２に沿って接眼レンズ２３から出射させることで対象物を所望の大きさに拡大する単眼鏡の例である。
【００１５】
この単眼鏡１０には、筐体１１に、光学系２０の光軸２２に直行する方向にスライド可能な保護カバー２５が備えられ、この保護カバー２５を、対物レンズ２１および接眼レンズ２３を覆う状態のカバー位置Ｐ１（図１および図３参照）に保持するロック手段４０が備えられ、このロック手段４０のロックを解除した際に、保護カバー２５を、対物レンズ２１および接眼レンズ２３から退避させるとともに、この保護カバー２５を対物レンズ２１および接眼レンズ２３から退避した状態の退避位置Ｐ２（図２および図４参照）に保持する弾性手段（圧縮ばね）４８、４８が備えられている。
【００１６】
筐体１１は、上下の壁部１１ａ、１１ｂ、左右の側壁部１１ｃ、１１ｄおよび前後の壁部１１ｅ、１１ｆでほぼ矩形状に形成され、光学系２０を収容するために前後方向に収納孔１２が貫通され、右側部１１ｄに筐体１１を手で握りやすくするために右凹部１４が備えられ、左側部１１ｃに前後の圧縮ばね４８、４８を収容するために前後の収容凹部１６、１６が備えられ、左側部１１ｃにロック手段４０の案内溝４１が備えられている。
【００１７】
保護カバー２５は、筐体１１の周壁のうちの上下の壁面１１ａ、１１ｂおよび左側壁１１ｃを覆う断面コ字形のカバー本体２６が備えられ、このカバー本体２６の前部に対物レンズ２１を覆う前シャッター２７が備えられるとともに、カバー本体２６の後部に接眼レンズ２３を覆う後シャッター２８が備えられている。
【００１８】
カバー本体２６は、上下の側壁２６ａ、２６ｂおよび左側壁２６ｃで断面コ字形に形成され、左側壁２６ｃに保護カバー２５を手で握りやすくするために左凹部２９が備えられ、左側部２６ｃの内部に前後の圧縮ばね４８、４８を収容するために前後の収容凹部３１、３１が備えられ、左側部２６ｃの内部中央にロック手段４０のストップセットばね４５が備えられている。
【００１９】
前シャッター２７は、開口端に前係止爪３３が備えられ、この前係止爪３３が筐体１１の前壁部１１ｅにスライド自在に配置されている。
後シャッター２８は、開口端に後係止爪３４が備えられ、この後係止爪３４が筐体１１の後壁部１１ｆにスライド自在に配置されている。
【００２０】
前後の係止爪３３、３４は、保護カバー２５のロック状態が解除され、前後の圧縮ばね４８、４８のばね力で退避位置Ｐ２まで押し出されたときに前後の係止部１７、１８に係止する（図４参照）。これにより、保護カバー２５を退避位置Ｐ２に保持できる。
【００２１】
ロック手段４０は、図５に示すように筐体１１に案内溝４１が形成され、案内溝４１に沿って移動するとともに案内溝４１の係止凹部４４に係止可能なストップセットばね４５が保護カバー２５に備えられ、案内溝４１の係止凹部４４にストップセットばね４５の折曲片４６を係止することで保護カバー２５をカバー位置Ｐ１（図１および図３参照）に保持するように構成されている。
【００２２】
案内溝４１は、筐体１１の中央に上下の溝部４２、４３が形成され、上下の溝部４２、４３の合せ部に係止凹部４４が備えられている。
ストップセットばね４５は、保護カバー２５の左側壁２６ｃにストップセットばね４５の基部４７が取り付けられ、ストップセットばね４５の先端に折曲片４６が形成されている。
【００２３】
つぎに、図６に基づいてロック手段４０の作用を説明する。
先ず、単眼鏡１０を使用しない場合には、図６（ａ）に示すように保護カバー２５を筐体１１側に矢印のように押し込む。図６（ｂ）に示すように、案内溝４１の上溝部４２に沿ってストップセットばね４５の折曲片４６が係止凹部４４まで案内される。
これにより、図６（ｃ）に示すように、ストップセットばね４５の折曲片４６が係止凹部４４に係止され、保護カバー２５がカバー位置Ｐ１（図１および図３参照）に保持される。
【００２４】
つぎに、単眼鏡１０を使用する際には、図６（ｃ）に示すように保護カバー２５をカバー位置Ｐ１から筐体１１側に矢印の方向に押し込む。これにより、ストップセットばね４５の折曲片４６が係止凹部４４から解除される。
これにより、図６（ｄ）に示すように、案内溝４１の下溝部４３に沿って矢印の方向にストップセットばね４５の折曲片４６が移動して、保護カバー２５は退避位置Ｐ２（図２および図４）まで移動する。
【００２５】
このように、ストップセットばね４５を案内溝４１の係止凹部４４に係止することで保護カバー２５をカバー位置Ｐ１に保持することができ、カバー位置Ｐ１の保護カバー２５を筐体１１側に押し込むことでストップセットばね４５と係止凹部４４との係止を開放することができる。
このため、保護カバー２５をカバー位置Ｐ１から退避位置Ｐ２へ簡単にスライドさせることができるので、使い勝手をよくすることができる。
【００２６】
つぎに、第２実施の形態について図７乃至図１０に基づいて説明する。
保護カバー付き望遠鏡５０は、左右の筐体５１、５２にそれぞれ左右の光学系６０、６１を収容し、左側の光学系６０の対物レンズ６３から入射した光を左側の光軸６４に沿って左側の接眼レンズ６５から出射させ、右側の光学系６１の対物レンズ６３から入射した光を右側の光軸６４に沿って右側の接眼レンズ６５から出射させることで対象物を所望の大きさに拡大する双眼鏡の例である。
【００２７】
この双眼鏡５０は、左右の筐体５１、５２に、それぞれ左右の光学系６０、６１の光軸６４、６４に直行する方向にスライド可能な左右の保護カバー７０、７１がそれぞれ備えられ、左右の筐体５１、５２が連結部５６で連結されている。
【００２８】
さらに、双眼鏡５０は、左側の保護カバー７０を左側の対物レンズ６３および左側の接眼レンズ６５を覆うカバー位置Ｐ３に保持する左側のロック手段８０が備えられ、この左側のロック手段８０のロックを解除した際に左側の保護カバー７０を左側の対物レンズ６３および左側の接眼レンズ６５から退避させるとともに、退避位置Ｐ４に保持する左側の弾性手段（圧縮ばね）９０が備えられている。
【００２９】
加えて、双眼鏡５０は、右側の保護カバー７１を右側の対物レンズ６３および右側の接眼レンズ６５を覆うカバー位置Ｐ３に保持する右側のロック手段８１が備えられ、この右側のロック手段８１のロックを解除した際に右側の保護カバー７１を右側の対物レンズ６３および右側の接眼レンズ６５から退避させることができ、そこには退避位置Ｐ４に保持するための右側の弾性手段（圧縮ばね）９１が備えられている。
【００３０】
なお、左右の筐体５１、５２、左右の保護カバー７０、７１、左右のロック手段８０、８１および左右の圧縮ばね９０、９１は、それぞれ同一部材で構成されているので、以下、左側の筐体５１、左側の保護カバー７０、左側のロック手段８０および左側の圧縮ばね９０について説明して、右側の筐体５２、右側の保護カバー７１、右側のロック手段８１および右側の圧縮ばね９１についての説明は省略する。
【００３１】
左側の筐体５１は、上下の壁部５１ａ、５１ｂ、左側壁部５１ｃおよび前後の壁部５１ｄ、５１ｅで形成され、光学系６０を収容するために前後方向に収納孔５３が貫通され、左側部５１ｃに圧縮ばね９０を収容するために収容凹部５４が備えられ、連結部５６を介して右側の筐体５２に連結されている。
【００３２】
左側の保護カバー７０は、左側の筐体５１の周壁のうちの上下の壁面５１ａ、５１ｂおよび左側壁５１ｃを覆う断面コ字形のカバー本体７３が備えられ、このカバー本体７３の前部に左側の対物レンズ６３を覆う前シャッター７４が備えられるとともに、カバー本体７３の後部に左側の接眼レンズ６５を覆う後シャッター７５が備えられている。
【００３３】
カバー本体７３は、図９に示すように上下の側壁７３ａ、７３ｂおよび左側壁７３ｃで断面コ字形に形成され、左側部７３ｃの内部に圧縮ばね９０を収容するために収容凹部７６が備えられ、上側壁７３ａにはロック手段８０に係止する係止部７７が備えられている。
【００３４】
前シャッター７４は、図１０に示すように開口端に前係止爪７８が備えられ、この前係止爪７８が筐体５１の前壁部５１ｄにスライド自在に配置されている。  後シャッター７５は、開口端に後係止爪７９が備えられ、この後係止爪７９が筐体５１の後壁部５１ｅにスライド自在に配置されている。
【００３５】
前後の係止爪７８、７９は、左側の保護カバー７０のロック状態が解除され、圧縮ばね９０のばね力で退避位置Ｐ４まで押し出されたときに前後の係止部５７、５８に係止する。これにより、左側の保護カバー７０を退避位置Ｐ４に保持する。
【００３６】
左側のロック手段８０は、図９に示すように連結部５６の上面５６ａ（筐体の近傍）にロックレバー８３が基端部８３ａを支点にして揺動自在に備えられ、このロックレバー８３のほぼ中央にボタン８３ｂが備えられ、ボタン８３ｂと上面５６ａの間にロックばね８４が備えられ、ロックレバー８３の先端に係止爪８３ｃが形成され、係止爪８３ｃを保護カバー７０の係止部７７に係止することで左側の保護カバー７０をカバー位置Ｐ３に保持するように構成されている。
【００３７】
ロックレバー８３は、ボタン８３ｂを押すことにより、ロックばね８４のばね力に抗して連結部５６の上面５６ａ側に押し付けることができる。これにより、係止爪８３ｃと係止部７７との係止状態を解除して、保護カバー７０を圧縮ばね９０で退避位置Ｐ４に保持することができる。
【００３８】
また、ボタン８３ｂを押圧力から開放することにより、ロックばね８４のばね力でロックレバー８３は連結部５６の上面５６ａから離れる方向に移動することができる。これにより、保護カバー７０を退避位置Ｐ４から筐体５１側に押し込むことにより、係止爪８３ｃを係止部７７に係止させ、保護カバー７０をカバー位置Ｐ３に保持することができる。
【００３９】
このように、ロックレバー８３の係止爪８３ｃを保護カバー７０の係止部７７に係止することで保護カバー７０をカバー位置Ｐ３に保持することができ、ボタン８３ｂを押すことにより係止爪８３ｃと保護カバー７０の係止部７７との係止を解除することができる。
このため、保護カバー７０をカバー位置Ｐ３と退避位置Ｐ４とに簡単にスライドさせることができるので、使い勝手をよくすることができる。
【００４０】
なお、前記実施の形態では、ロック手段８０を連結部５６の上面５６ａ、すなわち筐体５１の近傍に取り付けた例について説明したが、ロック手段８０を筐体５１に取り付けることも可能である。
また、弾性手段を圧縮ばね４８、９０、９１として説明したが、その他の部材を使用することも可能である。
【００４１】
【発明の効果】
以上述べたように、請求項１による保護カバー付き望遠鏡によれば、そこに備えられた保護カバーは、対物レンズおよび接眼レンズを覆う状態のカバー位置と、対物レンズおよび接眼レンズから退避させた状態の退避位置とに、保護カバーを筐体側に押し込む操作を繰り返すだけで、いつでも簡単に切り替えが可能となる。
【００４２】
加えて、対物レンズおよび接眼レンズを開放状態にする場合には、保護カバーが筐体から離れないから、保護カバーの紛失事故が発生しない。
このように、操作が簡単で、かつ保護カバーを紛失する虞れがないので、望遠鏡としての使い勝手をよくすることができる。
【００４３】
請求項２は、カバー本体で筐体の周壁を覆うように構成し、このカバー本体に前後のシャッターを備えることで、簡素な構成で前後のシャッターを一体に形成することができるので、保護カバー付き望遠鏡のコストを抑えることができる。
【図面の簡単な説明】
【図１】本発明に係る第１実施の形態の不使用状態を示す斜視図である。
【図２】本発明に係る第１実施の形態の使用状態を示す斜視図である。
【図３】本発明に係る第１実施の形態の不使用状態を示す断面図である。
【図４】本発明に係る第１実施の形態の使用状態を示す断面図である。
【図５】本発明に係る第１実施の形態のロック手段を示す断面図である。
【図６】本発明に係る第１実施の形態のロック手段の作用を説明する図である。
【図７】本発明に係る第２実施の形態の不使用状態を示す斜視図である。
【図８】本発明に係る第２実施の形態の使用状態を示す斜視図である。
【図９】本発明に係る第２実施の形態の縦断面図である。
【図１０】図９のＡ−Ａ線断面図である。
【符号の説明】
１０、５０…保護カバー付き望遠鏡
１１、５１、５２…筐体
２０、６０、６１…光学系
２１、６３…対物レンズ
２２、６４…光軸
２３、６５…接眼レンズ
２５、７０、７１…保護カバー
２６、７３…カバー本体
２７、７４…前シャッター
２８、７５…後シャッター
４０、８０、８１…ロック手段
４１…案内溝
４４…係止凹部
４５…ストップセットばね
４８、９０、９１…弾性手段（圧縮ばね）
７７…保護カバーの係止部
８３…ロックレバー
８３ａ…基端部
８３ｂ…ボタン
８３ｃ…係止爪
８４…ロックばね
Ｐ１、Ｐ３…カバー位置
Ｐ２、Ｐ４…退避位置
【図１】
0003583708.tif 000002
【図２】
0003583708.tif 000003
【図３】
0003583708.tif 000004
【図４】
0003583708.tif 000005
【図５】
0003583708.tif 000006
【図６】
0003583708.tif 000007
【図７】
0003583708.tif 000008
【図８】
0003583708.tif 000009
【図９】
0003583708.tif 000010
【図１０】
0003583708.tif 000011